(57)【要約】【課題】携帯電子機器の落下時等にも破損しにくい電池カバー構造を提供する。【解決手段】携帯電話機本体２の電池カバー８の固定構造であり、携帯電話機本体２の係合部４、５、嵌合部６と、前記係合部４、５に係合する係合爪９、１０と、嵌合部６に嵌合する電池カバー８の嵌合爪１１と、前記係合部４、５及び嵌合部６を設けた電池収納部３を有するリアカバー２１と、電池収納部３に装着される電池７とで構成される。リアカバー２１の平面部の範囲内で電池カバーを固定するように構成することにより、平面状の電池カバーの固定を可能とし、落下時等の破損を防止する。【選択図】        図１
2004265789.tif 000002
【特許請求の範囲】
【請求項１】
携帯電子機器の筺体に設けた電池収納部と、前記電池収納部を覆う電池カバーとからなる携帯電子機器の電池カバー構造であって、
前記電池収納部は、携帯電子機器の筺体の外壁面における略平面状の筺体面の範囲内に設けられ、前記電池カバーは、外壁面が略平面形状で構成されることを特徴とする電池カバー構造。
【請求項２】
前記電池収納部は、電池を収納する凹部と、該凹部の周囲の前記略平面状の筺体面から電池カバーの周辺の厚みに相当する段差部とを有することを特徴とする請求項１記載の電池カバー構造。
【請求項３】
前記電池カバーは、内壁面の周辺に筺体側と固定する複数の係合爪を備え、前記段差部は、前記電池カバーの係合爪と係合する係合部を備えることを特徴とする請求項２記載の電池カバー構造。
【請求項４】
前記電池カバーは、前記電池収納部に対しスライドにより装着可能であり、前記係合爪は、電池カバーの平面と直角なスライド方向の断面形状がスライド方向に突出したＬ形状の係合爪でなり、電池カバーのスライド方向の端部には筺体側に嵌合し電池カバーの逆止部材を有する嵌合爪を備え、前記段差部は、前記電池カバーの嵌合爪と嵌合する嵌合部を備えることを特徴とする請求項３記載の電池カバー構造。
【請求項５】
前記電池収納部及び電池カバーは矩形形状でなり、前記電池カバーの係合爪は、電池カバーのスライド方向と並行な両端部に複数設けられていることを特徴とする請求項４記載の電池カバー構造。
【請求項６】
前記電池カバーのスライド方向と反対方向の端部側に係合爪を備え、当該係合爪の突起の下面及び当該係合爪と係合する前記段差部の係合部は、係合時の電池カバーの端部側の外表面の押圧により電池カバーがスライド方向に移動する方向に形成された傾斜面を備えることを特徴とする請求項５記載の電池カバー構造。
【発明の詳細な説明】
【０００１】
【発明が属する技術分野】
本発明は、携帯電子機器の電池カバーの取り付け固定構造に関し、特に、携帯電話機等の電池カバー構造に関する。
【０００２】
【従来の技術】
従来より携帯電話機等の携帯電子機器に対する電池の収納構造としては、携帯電子機器のケースに形成した電池収納部に電池を収納し、該電池の外側をカバーにより覆う構造が採用されている（特許文献１参照）。
【０００３】
【特許文献１】
特開平１１−２５９４０号公報
【０００４】
図６は、前記従来例に相当する携帯電子機器の筺体カバーの電池収納構造を示す図である。携帯電子機器２０の筺体カバー２０１の背面の下部側に、筺体カバー２０１の側面側を含む段差と側面に沿った電池蓋２０７のスライド溝２０３を形成する。また、筺体カバー２０１の背面には電池ポケット２０２と電池蓋２０７をロックするロック部２０４とを構成する。一方、電池蓋２０７は筺体カバー２０１の段差部分に係合するように筺体カバー２０１の側面に回り込む湾曲形状に形成し、端部に前記スライド溝２０３に係合する係合部と前記ロック部２０４と嵌合するロック爪２０６が形成される。この電池蓋構造は、電源電池２０５を前記電池ポケット２０２に収納後、電池蓋２０７を携帯電子機器の下部側から前記スライド溝２０３に端部を係合させた後にスライドし、ロック爪２０６を筺体カバー２０１のロック部２０４に嵌合させる構造でなる。
【０００５】
【発明が解決しようとする課題】
前述の電池蓋（カバー）構造は、電池カバーを携帯電子機器の長手方向にスライドさせる構造を採るため、電池カバーは筺体カバーのロック爪のある面を除く他の辺が筺体カバーの側面に回り込んだ形状に形成されている。そのため携帯電子機器本体を落下した場合に電池カバーの角などが直接地面等に当たり破損するという問題がある。
【０００６】
また、落下による破損対策等を電池カバー自体に施した形状構造としては、電池カバーの天面肉厚及び側面の肉厚を厚くする必要があり、携帯電子機器の厚さ及びサイズ（幅）が大きくなるという問題もある。
【０００７】
（目的）
本発明の目的は、携帯電子機器の落下時等にも破損しにくい携帯電子機器の電池カバー構造を提供することにある。
本発明の他の目的は、筺体の平面部の範囲内で固定可能な携帯電子機器の電池カバー構造を提供することにある。
本発明の他の目的は、平面状の電池カバーの固定を可能とする携帯電子機器の電池カバー構造を提供することにある。
【０００８】
【課題を解決するための手段】
本発明の電池カバー構造は、携帯電子機器の筺体に設けた電池収納部と、前記電池収納部を覆う電池カバーとからなる携帯電子機器の電池カバー構造であって、前記電池収納部は、携帯電子機器の筺体の外壁面における略平面状の筺体面の範囲内に設けられ、前記電池カバーは、外壁面が略平面形状で構成されることを特徴とする。また、前記電池収納部は、電池を収納する凹部と、該凹部の周囲の前記略平面状の筺体面から電池カバーの周辺の厚みに相当する段差部とを有することを特徴とする。更に、前記電池カバーは、内壁面の周辺に筺体側と固定する複数の係合爪を備え、前記段差部は、前記電池カバーの係合爪と係合する係合部を備えることを特徴とする。
【０００９】
そして、前記電池カバーは、前記電池収納部に対しスライドにより装着可能であり、前記係合爪は、電池カバーの平面と直角なスライド方向の断面形状がスライド方向に突出したＬ形状の係合爪でなり、電池カバーのスライド方向の端部には筺体側に嵌合し電池カバーの逆止部材を有する嵌合爪を備え、前記段差部は、前記電池カバーの嵌合爪と嵌合する嵌合部を備えることを特徴とする。また、前記電池収納部及び電池カバーは矩形形状でなり、前記電池カバーの係合爪は、電池カバーのスライド方向と並行な両端部に複数設けられていることを特徴とし、更に前記電池カバーのスライド方向と反対方向の端部側に係合爪を備え、当該係合爪の突起の下面及び当該係合爪と係合する前記段差部の係合部は、係合時の電池カバーの端部側の外表面の押圧により電池カバーがスライド方向に移動する方向に形成された傾斜面を備えることを特徴とする。
【００１０】
より具体的には、本発明の電池カバー構造は、携帯電子機器本体の電池カバーの固定構造であり、電池カバーの係合爪の係合部と電池カバーの嵌合爪の嵌合部を設けた電池収納部を有するリアカバーと、電池収納部に収納する電池と、リアカバーの係合部と係合する係合爪と嵌合部と嵌合する嵌合爪を有する電池カバーとで構成される。つまり、携帯電話機の電池カバー構造に於いて、携帯電話機本体２の電池カバー８の固定構造であり、携帯電話機本体２の係合部４、５、嵌合部６と、前記係合部４、５に係合する係合爪９、１０と、嵌合部６に嵌合する電池カバー８の嵌合爪１１と、前記係合部４、５及び嵌合部６を設けた電池収納部３を有するリアカバー２１と、電池収納部３に装着される電池７とで構成されることを特徴とする（図１）。
【００１１】
【発明の実施の形態】
次に本発明の一実施の形態の携帯電子機器の電池カバー構造を携帯電話機を例として以下図面を参照して説明する。
（構成の説明）
図１は、本実施の形態の携帯電話機筺体及び電池カバー構造を示す分解斜視図である。また、図２は、電池カバーの結合構造を示す断面図であり、図２（ａ）及び（ｂ）は、それぞれ図１のイ−イの断面図及びロ−ロの断面図（拡大図）である。
【００１２】
本実施の形態の電池カバー構造は、ヒンジ軸１を備える折り畳み構造の携帯電話機に適用したものである。折り畳み構造の携帯電話機本体（筺体）２は、ヒンジ結合された２つの筺体でなり、それぞれの筺体は折り畳んだ状態で内側になり主な操作部及び表示部等を前面に有するフロントケース２２と折り畳んだ状態で外側になり電池を収納可能な構造を背面に有するリアカバー２１とを組み合わせて構成され、両筺体は例えばフロントケース２２の端部同士をヒンジ軸１により結合した構造でなる。
【００１３】
携帯電話機本体２の電池収納部３を有するリアカバー２１は、携帯電話機の背面側の平面又は略平面状の背面形状と、携帯電話機の側面側に屈曲又は湾曲する側面形状とで形成されており、電池収納部３は、リアカバー２１の背面の外表面側に形成され、電池７を収納し電池カバー８を装着するほぼ長方形の凹部形状の構造を有する。また、電池７は直方体の形状でなり、電池カバー８は前記長方形の凹部形状を覆う平面状ないし略平面状のカバーで構成される。
【００１４】
リアカバー２１の電池収納部３の詳細構造は、長方形の凹部形状として、図１に示すようにその内側に形成され、直方体でなる電池７の立体形状に応じた形状を有する所定の深さの凹部３１と、その周囲（外側）のリアカバー２１の外面から電池カバー８の厚みに対応する段差部３２を有し、該段差部３２には後述の電池カバー８に設けた爪と機械的に結合するための、複数の係合部４、５及び電池カバー８の抜け止め用の嵌合部６とが形成されている。
【００１５】
一方、電池カバー８の詳細構造は、リアカバー２１の凹部３１内への電池７の収納後に前記段差部３２に搭載され前記長方形の凹部形状を閉塞可能な寸法でなり、リアカバー２１の複数の係合部４、５及び嵌合部６と結合する、それぞれ係合爪９、１０及び嵌合爪１１を有する。
【００１６】
ここで、リアカバー２１の係合部４は、図２（ａ）に示すように電池カバー８の嵌合爪１１と反対方向の端部側に設けられた段差部３２上の窪みを有し、該窪みには電池カバー８の係合爪９と係合する上部斜面４ａ及び下部斜面４ｂが形成された突出部を形成し、また、電池カバー８の係合爪９は、リアカバー２１の係合部４の下部斜面４ａと同様の方向の傾斜を有する下部斜面９ａと係合部４の上部斜面４ｂと係合する上部斜面９ｂとが形成され、それぞれの傾斜面９ａ、４ａは電池カバー８の係合時の係合爪９の上部外表面の周辺からの押圧により、電池カバー８が係合爪１０方向へスライドして移動する力（摺動力）を生じる傾斜面形状でなる。また、それぞれの傾斜面９ｂ、４ｂは、電池カバー８の係合状態では、電池カバー８の上方への離脱を防止するロック機能をもつ傾斜面形状でなる。
【００１７】
また、係合部５は、図２（ａ）に示すように段差部３２上の窪みを有し、該窪みには電池カバー８の係合爪１０と係合するリアカバー２１の長手方向と並行な突起が形成され、また、電池カバー８の係合爪１０は、リアカバー２１の係合部５の前記突起とスライドにより装着可能であり、電池カバー８の平面と直角でスライド方向の断面形状がスライド方向に突出したＬ形状でなる。
【００１８】
更に、リアカバー２１の嵌合部６は、図２（ｂ）に示すように段差部に設けられた垂直な開口を有し、また、電池カバー８の嵌合爪１１は、電池カバー８の係合爪９と反対側の端部（下面）に設けられ、電池カバー８の装着時のスライド移動により前記嵌合部６の開口の段差の外側と摺動して下側に撓みながら挿入され、開口の内側段差により先端が係止される傾斜部を有する突起形状（逆止部材）でなる。
（動作の説明）
【００１９】
次に、本実施の形態の電池カバーの装着及び取り外し動作について説明する。
図３は、本実施の形態の電池カバー８の装着手順を示す図である。携帯電話機のリアカバー２１の電池収納部３に電池７を収納し、電池カバー８の係合爪９、１０をリアカバー２１の係合部４、５にその嵌合部６側（図示せず）にスライドするようにあてがった後（図２（ａ））、電池カバー８の係合爪８の外表面（上面）を押圧することにより、傾斜面９ａと４ａとの摺動作用により電池カバー８を嵌合部６側にスライドさせて係合爪９、１０と係合部４、５とを係合させるとともに（図２（ｂ））、嵌合爪１１を嵌合部６に嵌合させ、ロックすることによりスライド方向と反対方向への移動を阻止する。
【００２０】
図４は電池カバーの装着状態を示す図である。図４に示すように、電池カバー８の装着状態では電池カバー８の全ての端部（周辺部）はリアカバー２１の段差３２上に位置し、電池カバー８の上面はリアカバー２１の背面と同一平面となる（図２（ｃ））。
【００２１】
図５は、本実施の形態の電池カバー８の取り外し手順を示す図である。電池カバー８を取り外す際は、電池カバー８の嵌合爪１１の近傍を外表面から押圧して撓ませ嵌合爪１１の先端をリアカバー２１の嵌合部６の段差の内側から外した後（図２（ｂ）参照）、図４に示す装着時のスライド方向と逆方向に電池カバー８をスライドさせ（図５（ａ））、嵌合部６からの嵌合爪１１を外すとともに、係合爪９のコーナーの下部傾斜９ｂをリアカバー２１の係合部４の斜面４ｂを沿うように移動させ、電池カバー８が斜め上に持ち上がる作用により係合部４、５からの固定を解除し電池カバー８を取り外す（図５（ｃ））。
【００２２】
以上の実施の形態においては、係合部４及び係合爪９の構造、嵌合部６及び嵌合爪１１の構造は、それぞれ各種の機構のものが採用可能である。また、係合部４及び係合爪９の斜面形状としては、ほぼ並行の傾斜形状の構造を示したが傾斜形状をＲ形状（摺動面の凸形状）でも構成可能であることは明らかである。
【００２３】
【発明の効果】
本発明によれば、電池カバーの４辺が全てリアカバーに囲まれ、筺体の側面への回り込みの面（形状）がないため落下で直接電池カバーの角面などが当たることがなく破損に強い構造を可能とする。
【００２４】
特に、電池カバーの取り外し動作が斜め上に持ち上がりながら行われるように構成することにより、電池カバーの４辺の全てがリアカバーに囲まれた領域での開閉構造を可能とし、強度を考慮して天面肉厚を厚くしたり、側面回り込み部面の肉厚を厚くする必要がないので、装置厚さを薄くし、装置サイズ（幅方向）を小さくすることが可能である。
【図面の簡単な説明】
【図１】本実施の形態の携帯電話機筺体及び電池カバー構造を示す分解斜視図である。
【図２】電池カバーの結合構造を示す断面図であり、図２（ａ）及び（ｂ）は、それぞれ図１のイ−イの断面図及びロ−ロの断面図（拡大図）である。
【図３】本実施の形態の電池カバー８の装着手順を示す図である。
【図４】電池カバーの装着状態を示す図である。
【図５】本実施の形態の電池カバー８の取り外し手順を示す図である。
【図６】従来例に相当する携帯電子機器のリアカバーの電池収納構造を示す図である。
【符号の説明】
１  ヒンジ部
２  携帯電話機本体（筺体）
２１  リアカバー
２２  フロントケース
３  電池収納部
３１  凹部
３２  段差部
４、５  係合部
４ａ、４ｂ  傾斜部
６  嵌合部
８  電池カバー
９、１０  係合爪
９ａ、９ｂ  傾斜部
１１  嵌合爪（係合フック）
【図１】
2004265789.tif 000003
【図２】
2004265789.tif 000004
【図３】
2004265789.tif 000005
【図４】
2004265789.tif 000006
【図５】
2004265789.tif 000007
【図６】
2004265789.tif 000008